(57)【要約】  対象物の実際の奥行き等に応じた虚像距離にユーザの視認対象である対象物を提示することのできる虚像距離変更装置等を実現することを目的とする。虚像距離変更装置であって、画像情報に応じた画像を表示する表示パネルと、前記表示パネルに表示された画像をユーザの眼に案内するとともに、該画像に応じた虚像を該ユーザに視認させる光学系と、前記表示パネルに表示されるとともに該ユーザの視認対象である視認対象物の奥行きを表す奥行き情報を取得する奥行き情報取得手段と、前記奥行き情報に応じて、前記虚像が前記ユーザに視認される距離を表す虚像距離を変更する距離変更手段と、を含むことを特徴とする。
2016063620.tif 000002
【特許請求の範囲】
【請求項１】
画像情報に応じた画像を表示する表示パネルと、
前記表示パネルに表示された画像をユーザの眼に案内するとともに、該画像に応じた虚像を該ユーザに視認させる光学系と、
前記表示パネルに表示されるとともに該ユーザの視認対象である視認対象物の奥行きを表す奥行き情報を取得する奥行き情報取得手段と、
前記奥行き情報に応じて、前記虚像が前記ユーザに視認される距離を表す虚像距離を変更する距離変更手段と、
を含むことを特徴とする虚像距離変更装置。
【請求項２】
前記奥行き情報取得手段は、
前記ユーザの視線方向を表す視線方向情報を取得する視線方向取得手段と、
前記取得された視線方向情報に基づいて、前記奥行きを推定する奥行き推定手段と、
を含むことを特徴とする請求項１に記載の虚像距離変更装置。
【請求項３】
前記奥行き情報は、前記画像情報に応じてあらかじめ設定されていることを特徴とする請求項１に記載の虚像距離変更装置。
【請求項４】
前記奥行き情報は、前記画像情報の中央部における所定の代表点に基づくことを特徴とする請求項３に記載の虚像距離変更装置。
【請求項５】
前記距離変更手段は、前記ユーザの視線方向の移動後に前記虚像距離を変更することを特徴とする請求項１に記載の虚像距離変更装置。
【請求項６】
前記距離変更手段は、所定の範囲内で前記虚像距離を変更することを特徴とする請求項１に記載の虚像距離変更装置。
【請求項７】
前記距離変更手段は、前記画像情報の表すシーンが変更した場合には、前記シーン変更後所定の期間経過後に前記虚像距離を変更することを特徴とする請求項１に記載の虚像距離変更装置。
【請求項８】
前記距離変更手段は、前記表示パネルまたは前記光学系に含まれるレンズを移動させることにより、前記虚像距離を変更することを特徴とする請求項１に記載の虚像距離変更装置。
【請求項９】
前記虚像距離変更装置は、ヘッドマウントディスプレイであることを特徴とする請求項１に記載の虚像距離変更装置。
【請求項１０】
画像情報に応じた画像を表示し、
前記表示パネルに表示された画像をユーザの眼に案内するとともに、該画像に応じた虚像を該ユーザに視認させ、
前記表示パネルに表示されるとともに該ユーザの視認対象である視認対象物の奥行きを表す奥行き情報を取得し、
前記奥行き情報に応じて、前記虚像が前記ユーザに視認される距離を表す虚像距離を変更する、
ことを特徴とする虚像距離変更方法。
【請求項１１】
画像情報に応じた画像を表示する表示パネルと、前記表示パネルに表示された画像をユーザの眼に案内するとともに、該画像に応じた虚像を該ユーザに視認させる光学系と、を含む虚像距離変更装置に関するプログラムであって、
前記表示パネルに表示されるとともに該ユーザの視認対象である視認対象物の奥行きを表す奥行き情報を取得する奥行き情報取得手段、及び、
前記奥行き情報に応じて、前記虚像が前記ユーザに視認される距離を表す虚像距離を変更する距離変更手段、
としてコンピュータを機能させることを特徴とするプログラム。
【発明の詳細な説明】
【技術分野】
【０００１】
虚像距離変更装置、虚像距離変更方法、プログラムに関する。
【背景技術】
【０００２】
画像を表示する画像表示装置として、ユーザの頭部に装着して使用するヘッドマウントディスプレイ（以下、「ＨＭＤ」という）が知られている。具体的には、例えば、下記特許文献（特開２０１２−１９４５０１号公報）には、所定の距離に提示される虚像を視認しつつ、外界についても視認することができるいわゆるシースルー型のヘッドマウントディスプレイにおいて、ユーザが歩行中に使用しても歩行の妨げとならないようにユーザが歩行していると判断した場合には、レンズを移動させることにより、提示される虚像の距離（虚像距離）を無限遠よりも近い距離とする技術が開示されている。
【先行技術文献】
【特許文献】
【０００３】
【特許文献１】特開２０１２−１９４５０１号公報
【発明の概要】
【発明が解決しようとする課題】
【０００４】
しかしながら、一般的なヘッドマウントディスプレイや上記引用文献１（以下、「従来技術」という）においては、表示される対象物とは無関係に虚像距離が固定または設定される。よって、従来技術においては、対象物の実際の奥行き、視認対象物が撮影された場合におけるカメラと当該対象物の距離、または、コンピュータグラフィックスにおいて想定されている対象物の距離等に応じた虚像距離に対象物が表示されない。【０００５】
そこで、本発明は、例えば、対象物の実際の奥行き等に応じた虚像距離にユーザの視認対象である視認対象物を提示することのできる虚像距離変更装置等を実現することを目的とする。
【課題を解決するための手段】
【０００６】
（１）本発明の虚像距離変更装置は、画像情報に応じた画像を表示する表示パネルと、前記表示パネルに表示された画像をユーザの眼に案内するとともに、該画像に応じた虚像を該ユーザに視認させる光学系と、前記表示パネルに表示されるとともに該ユーザの視認対象である視認対象物の奥行きを表す奥行き情報を取得する奥行き情報取得手段と、前記奥行き情報に応じて、前記虚像が前記ユーザに視認される距離を表す虚像距離を変更する距離変更手段と、を含むことを特徴とする。【０００７】
（２）上記（１）に記載の虚像距離変更装置であって、前記奥行き情報取得手段は、前記ユーザの視線方向を表す視線方向情報を取得する視線方向取得手段と、前記取得された視線方向情報に基づいて、前記奥行きを推定する奥行き推定手段と、を含むことを特徴とする。【０００８】
（３）上記（１）または（２）に記載の虚像距離変更装置であって、前記奥行き情報は、前記画像情報に応じてあらかじめ設定されていることを特徴とする。【０００９】
（４）上記（３）に記載の虚像距離変更装置であって、前記奥行き情報は、前記画像情報の中央部における所定の代表点に基づくことを特徴とする。【００１０】
（５）上記（１）ないし（４）のいずれかに記載の虚像距離変更装置であって、前記距離変更手段は、前記ユーザの視線方向の移動後に前記虚像距離を変更することを特徴とする。【００１１】
（６）上記（１）ないし（５）のいずれかに記載の虚像距離変更装置であって、前記距離変更手段は、所定の範囲内で前記虚像距離を変更することを特徴とする。【００１２】
（７）上記（１）ないし（６）のいずれかに記載の虚像距離変更装置であって、前記距離変更手段は、前記画像情報の表すシーンが変更した場合には、前記シーン変更後所定の期間経過後に前記虚像距離を変更することを特徴とする。【００１３】
（８）上記（１）ないし（７）のいずれかに記載の虚像距離変更装置であって、前記距離変更手段は、前記表示パネルまたは前記光学系に含まれるレンズを移動させることにより、前記虚像距離を変更することを特徴とする。【００１４】
（９）上記（１）ないし（８）のいずれかに記載の虚像距離変更装置は、ヘッドマウントディスプレイであることを特徴とする。【００１５】
（１０）本発明の虚像距離変更方法は、画像情報に応じた画像を表示し、前記表示パネルに表示された画像をユーザの眼に案内するとともに、該画像に応じた虚像を該ユーザに視認させ、前記表示パネルに表示されるとともに該ユーザの視認対象である視認対象物の奥行きを表す奥行き情報を取得し、前記奥行き情報に応じて、前記虚像が前記ユーザに視認される距離を表す虚像距離を変更する、ことを特徴とする。【００１６】
（１１）本発明のプログラムは、画像情報に応じた画像を表示する表示パネルと、前記表示パネルに表示された画像をユーザの眼に案内するとともに、該画像に応じた虚像を該ユーザに視認させる光学系と、を含む虚像距離変更装置に関するプログラムであって、前記表示パネルに表示されるとともに該ユーザの視認対象である視認対象物の奥行きを表す奥行き情報を取得する奥行き情報取得手段、及び、前記奥行き情報に応じて、前記虚像が前記ユーザに視認される距離を表す虚像距離を変更する距離変更手段、としてコンピュータを機能させることを特徴とする。
【図面の簡単な説明】
【００１７】
【図１】本実施の形態におけるＨＭＤの概要の一例を示す図である。
【図２】ＨＭＤのハードウェア構成の一例について説明するための図である。
【図３】ＨＭＤの制御部の機能的構成の主な一例を示す図である。
【図４】奥行き情報取得部の機能的構成の一例を示す図である。
【図５Ａ】虚像距離の変更を説明するための図である。
【図５Ｂ】虚像距離の変更を説明するための図である。
【図６】虚像距離の変更の一例を説明するための図である。
【図７Ａ】虚像距離の変更の一例を説明するための図である。
【図７Ｂ】虚像距離の変更の一例を説明するための図である。
【図８】ＨＭＤの処理のフローの概要の一例を示す図である。
【発明を実施するための形態】
【００１８】
以下、本発明の実施形態について、図面を参照しつつ説明する。なお、図面については、同一又は同等の要素には同一の符号を付し、重複する説明は省略する。
【００１９】
図１は、本実施の形態におけるＨＭＤの概要の一例を示す図である。具体的には、図１は、ＨＭＤ１００をユーザの頭部に装着した場合におけるＨＭＤ１００の側面図の概要の一例を示す。
【００２０】
図１に示すようにＨＭＤ１００は、取得した画像情報に応じて表示パネルは３次元画像を表示する表示パネル１０１を有する。具体的には、例えば、表示パネル１０１は、右側領域に右目用の画像を表示し、左側領域に左目用の画像を表示する。なお、表示パネル１０１は、上記に限定されず、例えば、フレームシーケンシャル方式等の他の方式で３次元画像を表示するように構成してもよい。また、表示パネル１０１は、例えば、液晶表示パネル１０１、または、有機ＥＬ表示パネル１０１等で構成する。また、ＨＭＤ１００は、例えば、表示パネル１０１に表示された画像をユーザの目に案内するとともに、当該画像に対応する虚像を当該ユーザに視認させる光学系と、当該光学系に含まれるレンズまたは表示パネル１０１を移動することにより、当該虚像がユーザに視認される距離を表す虚像距離を変更する距離変更部を有するが、当該光学系や距離変更部の更なる詳細については後述する。
【００２１】
当該ＨＭＤ１００は、例えば、ユーザの頭部にＨＭＤ１００を装着するための装着バンド１０２を有する。なお、上記ＨＭＤ１００の構成は一例であって、本実施の形態は上記に限定されるものではない。
【００２２】
次に、本実施の形態におけるＨＭＤ１００のハードウェア構成の一例について説明する。図２は、ＨＭＤのハードウェア構成の一例について説明するための図である。図２に示すように、ＨＭＤ１００は、例えば、制御部２０１、記憶部２０２、通信部２０３、操作部２０４、表示部２０５、駆動部２０６を有する。なお、制御部２０１、記憶部２０２、通信部２０３、操作部２０４、表示部２０５、駆動部２０６は、内部バス２０７により互いに接続される。
【００２３】
制御部２０１は、例えば、ＣＰＵ、ＭＰＵ等であって、記憶部２０２に格納されたプログラムに従って動作する。記憶部２０２は、例えば、ＲＯＭやＲＡＭ等の情報記録媒体で構成され、制御部２０１によって実行されるプログラムを保持する情報記録媒体である。また、記憶部２０２は、制御部２０１のワークメモリとしても動作する。なお、当該プログラムは、例えば、ネットワークを介して、ダウンロードされて提供されてもよいし、または、ＣＤ−ＲＯＭやＤＶＤ−ＲＯＭ、半導体メモリ等のコンピュータで読み取り可能な各種の情報記録媒体によって提供されてもよい。
【００２４】
通信部２０３は、当該ＨＭＤ１００を、ネットワークを介して、他の情報処理装置（例えば、ゲーム機器やサーバ等）（図示なし）と接続する。操作部２０４は、例えば、ボタンやコントローラ等で構成され、ユーザの指示操作に応じて、当該指示操作の内容を制御部２０１に出力する。表示部２０５は、上記表示パネル１０１に相当し、制御部２０１からの指示に従い、情報を表示する。
【００２５】
駆動部２０６は、例えば、モータ（図示なし）及び当該モータに駆動電流を供給するドライバ（図示なし）を含む。ドライバは、制御部２０１からの指示に従いモータに駆動電流を供給し、これにより、当該モータが回転される。表示部２０５は、ギヤ部（図示なし）等を介してモータに接続され、モータの回転により表示部２０５を移動されるように支持される。言い換えれば、モータの回転により表示部２０５が移動し、後述する虚像距離が変更される。なお、上記においては一例として、駆動部２０６がモータを回転させることにより表示部２０５を移動させる場合について説明したが、例えば、光学系を構成するレンズを移動させる等、本実施の形態は虚像距離を変更することができる限り、上記構成に限定されるものではない。
【００２６】
なお、図２に示したＨＭＤ１００の構成は、一例であってこれに限定されるものではない。例えば、ＨＭＤ１００は、例えば、カメラを有し、当該カメラからの撮像情報に応じて後述するユーザの視線方向を表す視線方向情報を取得できるように構成してもよい。
【００２７】
次に、本実施の形態におけるＨＭＤ１００の制御部２０１の機能的構成の一例について説明する。図３は、ＨＭＤの制御部の機能的構成の主な一例を示す図である。図３に示すように、ＨＭＤ１００は、機能的に、例えば、画像情報取得部３０１、画像情報生成部３０２、奥行き情報取得部３０３、距離変更部３０４を含む。
【００２８】
画像情報取得部３０１は、画像情報を取得する。具体的には、例えば、画像情報取得部３０１は、外部の情報処理装置（例えば、ゲーム機器やサーバ）（図示なし）等から画像情報を取得するように構成してもよいし、記憶部２０２に記憶された画像情報を取得するように構成してもよい。
【００２９】
画像情報生成部３０２は、画像情報取得部３０１が取得した画像情報に基づき、例えば、１フレーム毎に表示パネル１０１に表示するフレーム画像を生成する。当該フレーム画像は、表示パネル１０１に３次元画像を表示するためのフレーム画像であり、上記のように、例えば、右目用のフレーム画像及び左目用のフレーム画像、または、フレームシーケンシャル方式で表示するためのフレーム画像に相当する。そして、表示パネル１０１は、生成されたフレーム画像を表示する。
【００３０】
奥行き情報取得部３０３は、当該フレーム画像に対応する奥行き情報を取得する。ここで、奥行き情報は、例えば、ユーザの視認する対象物の奥行き、例えば、ユーザの両目の間の中心点から虚像である視認対象物への距離に相当する。具体的には、例えば、奥行き情報取得部３０３は、図４に示すように視線方向取得部４０１と、奥行き推定部４０２を有する。
【００３１】
視線方向取得部４０１は、例えば、ユーザの両目の視線方向を表す視線方向情報を取得する。具体的には、例えば、当該視線方向情報は、ユーザの各目の位置から視認対象への各角度に相当する。奥行き推定部４０２は、当該視線方向に基づいて、ユーザの視認する対象物の奥行き（例えば、ユーザの両目の間の中心点から虚像である視認対象物への距離に相当する）を推定し、奥行き情報として取得する。より具体的には、例えば、奥行き推定部４０２は、ユーザの両目の間の距離と、それぞれの視線の角度から奥行きを算出する。なお、ユーザの両目の距離は、例えば、ＨＭＤ１００においてユーザがそれぞれの目を当てるそれぞれの開口部の中心間の距離等に相当する。なお、上記奥行き情報の取得は一例であって、本実施の形態はこれに限られるものではない。例えば、視線方向から視認している対象物を特定し、その視差から奥行きを推定してもよい。視線方向情報の取得等については、例えば、視線方向をリアルタイムに検出するEye Tracking(Gaze Tracking)等として周知であるため、更なる詳細については説明を省略する。
【００３２】
また、奥行き推定部４０２は、例えば、画像情報とともに、当該画像情報に含まれる各対象物等の奥行き情報を表すあらかじめ設定されたいわゆるDepthマップを取得し、当該Depthマップと視線方向情報に基づいて奥行き情報を取得するように構成してもよい。更に、例えば、視線方向取得部４０１を省略し、Depthマップを用いて、例えば、表示される画像の中央部等、所定の代表点に基づく奥行き情報を取得するように構成してもよい。なお、この場合、Depthマップは当該代表点の奥行き情報のみの奥行き情報を含むように構成してもよい。また、当該Depthマップは、画像情報を生成等する場合にあらかじめ生成され設定されるものであり、例えば、画像情報取得部３０１が、画像情報とともに取得するように構成する。
【００３３】
距離変更部３０４は、当該奥行き情報に基づいて、駆動部２０６に指示することによりユーザが視認する虚像の虚像距離を変更する。つまり、距離変更部は、例えば、１フレーム前の視認対象物の奥行きに基づいて、虚像距離を変更する。なお、本実施の形態は１フレーム前の視認対象物の奥行きに限られず、数フレーム前の奥行きや、数フレームにおける奥行きの統計値（例えば、平均値）に基づいて、虚像距離を変更するように構成してもよい。具体的には、説明の簡略化のために、一例として、光学系が片目毎に１枚のレンズで形成され、距離変更部３０４が、表示パネル１０１を移動して、当該レンズと表示パネル１０１間の距離を変更する場合を例として下記に説明する。
【００３４】
図５Ａ及び図５Ｂは、本実施の形態における虚像距離の変更を説明するための図である。距離変更部３０４は、例えば、取得された奥行き情報が大きい場合（つまり、遠くに視認される虚像を提示する場合）については、図５Ｂに示すように表示パネル１０１をレンズ５０１から遠ざけるように移動し、一方、奥行き情報が小さい場合（つまり、近くに視認される虚像を提示する場合）については、図５Ａに示すように表示パネル１０１をレンズ５０１に近づけるように移動する。なお、当該移動には、周知のモータやギヤ等が用いられることから、移動の機構自体については、説明を省略する。なお、図５Ａ及び図５Ｂに示すように、ＨＭＤ１００においては、例えば、ユーザの目５０３毎にレンズ５０１が設けられ、当該レンズ５０１を介して、ユーザは表示パネル１０１に表示された画像をレンズ５０１と表示パネル５０１との間の距離に基づく虚像距離において視認する。なお、図５Ａにおける矢印５０２は、表示パネル１０１の移動方向を示す。
【００３５】
ここで、一般に、虚像距離を焦点距離のｋ倍にするためには、レンズ５０１と表示パネル１０１の間隔を焦点距離の１／ｋだけレンズ５０１側に移動させる必要がある。例えば、図６に示すように、焦点距離を５ｃｍとする場合であって、虚像距離を１ｍから∞まで変化させる場合、表示パネル１０１を２．５ｍｍの移動範囲が必要となる。したがって、この場合、距離変更部３０４が、表示パネル１０１を２．５ｍｍの範囲で移動することができるように構成すればよい。このように構成することで、例えば、図７Ａ及び図７Ｂに示すように、虚像距離を所定の近距離から、無限遠にまで変更することができる。ここで、図７Ａが近距離の場合を表し、図７Ｂが無限遠の場合の模式図を示す。
【００３６】
なお、上記においては、主に光学系が目毎に１のレンズ５０１で構成される場合について説明したが、複数のレンズで構成してもよい。この場合の動作は、上記１のレンズで光学系を構成する場合と異なるが、奥行き情報に応じて虚像距離が変更されるように構成することはいうまでもない。
【００３７】
次に、本実施の形態におけるＨＭＤ１００の処理のフローの概要の一例について説明する。図８は、本実施の形態にＨＭＤ１００の処理のフローの概要の一例を示す図である。
【００３８】
図８に示すように、画像情報生成部３０２は、画像情報取得部３０１が取得した画像情報に基づき、例えば、１フレーム毎に表示パネル１０１に表示するフレーム画像を生成する（Ｓ１０１）。表示パネル１０１は生成されたフレーム画像を表示する（Ｓ１０２）。奥行き情報取得部３０３は、当該フレーム画像に対応する奥行き情報を取得する（Ｓ１０３）。上記のように、当該奥行き情報は、例えば、視線方向により推定されるように構成してもよいし、Depthマップに基づいて取得されるように構成してもよい。距離変更部３０４は、当該奥行き情報に基づいて、虚像距離を変更する（Ｓ１０４）。
【００３９】
次に、画像情報生成部３０２は、全ての画像情報の表示が終了したか否かを判断する（Ｓ１０５）。具体的には、例えば、画像情報生成部３０２は、ユーザにより画像情報の表示が終了した場合や、最後のフレーム画像の生成が終了している場合に、全ての画像情報の表示が終了したと判断する。
【００４０】
そして、画像情報生成部３０２が全ての画像情報の表示が終了していないと判断した場合には、Ｓ１０１に戻り、次に表示パネル１０１に表示するフレーム画像を表示する等、Ｓ１０２乃至Ｓ１０４の処理が繰り返し行われる。一方、画像情報生成部３０２が全ての画像情報の表示が終了したと判断した場合には、処理を終了する。
【００４１】
なお、上記処理のフローは一例であって、本実施の形態は、上記に限定されるものではない。例えば、上記フローにおいては、主に１フレーム画像毎に対応する奥行き情報に基づいて、表示パネル１０１を移動する場合について説明したが、所定の数のフレーム画像毎（例えば、所定数のフレーム画像毎）に、奥行き情報を取得して、表示パネル１０１を移動するように構成してもよいことは上記のとおりである。また、奥行き情報の推定に、上述のDepthマップを用いる場合には、例えば、Ｓ１０２以前に奥行き情報を取得するように構成してもよい。
【００４２】
本実施の形態によれば、例えば、対象物の実際の奥行き、視認対象物が撮影された場合におけるカメラと当該対象物の距離、または、コンピュータグラフィックスにおいて想定されている対象物の距離等に応じた虚像距離に視認対象物を視認させることができるヘッドマウントディスプレイ等を実現することができる。これにより、例えば、ユーザがより自然に視認対象物を視認することができ、また、より現実感のある視認対象物の視認が可能となる。
【００４３】
本発明は、上記実施の形態に限定されるものではなく、上記実施の形態で示した構成と実質的に同一の構成、同一の作用効果を奏する構成又は同一の目的を達成することができる構成で置き換えてもよい。
【００４４】
例えば、上記においては、主に、奥行き情報に応じて虚像距離を一例として１ｍから∞まで動的に変更する場合について説明したが、例えば、所定の設定モードを設けて、虚像距離の範囲を制限するように構成してもよい。より具体的には、第１の設定モードにおいては、１ｍから１０ｍまでの範囲に制限し、第２の設定モードにおいては、１０ｍから無限遠方までの範囲となるように制限してもよい。この場合、各ユーザの希望に応じた範囲で、虚像を視認することができる。より具体的には、例えば、ユーザが近視の場合には、上記第１の設定モードを用い、ユーザが遠視の場合には、上記第２の設定モードを用いる等により、ユーザの快適に視認可能な虚像距離で対象物を視認することができる。
【００４５】
また、奥行き情報に奥行き情報に応じて、奥行き情報に所定の値を乗算した虚像距離に変更するモードを有するように構成してもよい。例えば、奥行き情報が１ｍのものは１０ｍの虚像距離に、奥行き情報が１０ｍのものは１００ｍの虚像距離にするなどである。また、例えば、奥行き情報が所定の値以上の場合には、より遠くの虚像距離に、奥行き情報が所定の値以下の場合には、より近くの虚像距離に変更するように構成してもよい。これにより、画像情報によっては、より迫力のある視認等が実現される場合がある。
【００４６】
また、画像情報が表すシーンが変更したか否かを判定し、シーン変更後所定の期間は、虚像距離の変更を行わず、所定の期間内における視線方向に応じて虚像距離を変更するように構成してもよい。これにより、例えば、無限遠から急に近距離に虚像距離が移動するシーンなどにおいても、ユーザはより快適に視認対象を視認することができる。
【００４７】
また、距離変更部３０４は、視線が移動した後に虚像距離を変更し、視線の移動中は、虚像距離の変更を行わないように構成してもよい。具体的には、例えば、視線方向取得部４０１が視線方向の移動を検出している間には、虚像距離の変更を行わず、視線の移動が停止した後に虚像距離の変更を行う。具体的には、例えば、所定期間視線の移動がない場合に虚像距離の変更を行う。また、所定の距離以上視線が移動した場合に、虚像距離の変更を行わないように構成してもよい。これにより、シーンによっては、ユーザがより快適に視認対象を視認することができる。
【００４８】
更に、上記においては、主に、画像情報の生成や、奥行き情報の推定の処理等をＨＭＤ１００で行う場合について説明したが、当該処理等は、ＨＭＤ１００に接続される情報処理装置（ゲーム機器やサーバ等）により行われるように構成してもよい。具体的には、例えば、ＨＭＤ１００において視差方向情報を取得し、当該視差方向を当該情報処理装置等に送信し、情報処理装置において生成された奥行き情報をＨＭＤ１００が取得するように構成してもよい。
【００４９】
また、上記においては、虚像距離変更装置として、ＨＭＤ１００を例として説明したが、虚像距離変更装置は、例えば、電子ファインダー、デジタル化された顕微鏡接眼部、電子双眼鏡など、光学系を通して光源（拡散反射光）を見るデバイスを含む。
【００５０】
なお、上記各変形例は、例えば、Depthマップを利用しつつ、ユーザの視線移動中は虚像距離を変更しないように構成するなど、互いに矛盾しない限り組み合わせて用いてもよい。
【図１】
2016063620.tif 000003
【図２】
2016063620.tif 000004
【図３】
2016063620.tif 000005
【図４】
2016063620.tif 000006
【図５Ａ】
2016063620.tif 000007
【図５Ｂ】
2016063620.tif 000008
【図６】
2016063620.tif 000009
【図７Ａ】
2016063620.tif 000010
【図７Ｂ】
2016063620.tif 000011
【図８】
2016063620.tif 000012
【国際調査報告】
2016063620.tif 000013
2016063620.tif 000014